(57)【特許請求の範囲】
【請求項１】
パチンコ機の裏面上方に形成された球タンクの取付部の両側縁に取付固定部を突出形成する一方、球タンクの両側には前記取付固定部に嵌合する取付片を設け、さらに前記取付固定部に挿入する係止具を別体に形成したパチンコ機の球タンク取付構造であって、
前記取付固定部は、中間部に形成した挿通間隙により上部取付固定部と下部取付固定部とに分割形成されていると共に、該上部と下部の取付固定部のそれぞれに球タンクの取付方向と直交する方向に開口する挿入開口が形成されており、
前記取付片には、前記取付固定部に挿通される挿通開口が形成され、
前記係止具は、全体形状を上方が開放した略コ字形に形成し、その両側が弾性係止片となっており、
前記球タンクを取付部に臨ませて前記取付片の挿通開口を前記取付固定部に嵌め込むと共に、前記係止具を前記取付固定部の挿入開口から差込み係止することにより同時に前記取付片を押え込んで球タンクが取付けられるようにしたことを特徴とするパチンコ機の球タンク取付構造。
【発明の詳細な説明】
【０００１】
【発明の属する技術分野】
本発明は、パチンコ機における球タンクの取付構造の改良に関するもので、特にビスを使わずに取付ける球タンクの取付構造に関するものである。
【０００２】
【従来の技術】
従来のパチンコ機における球タンクの取付構造は、例えば本出願人による特開平５−１４６５４６号公報に記載のものが知られている。この従来の球タンクの取付けは、球タンクの両側に差込片および係合片を設け、機構板の取付部の両側に差込み係止部および先端に係止爪を備える弾性係止部を設け、球タンクの差込片を差込み係止部に差込んだ後、係合片を弾性係止部に係合することによって球タンクを取付るようにしている。
【０００３】
【発明が解決しようとする課題】
ところが、球タンクを係止する弾性係止部の係止爪は、機構板を成形する際にその部位が機構板全体の大きさに比べて小さいため成形不良を起し易く、また弾性係止部の係止爪が損傷した場合には、ビスで固着したり機構板全体を交換しなければならずコスト高になるという問題があった。
【０００４】
また、一方の差込片を差込み係止部に差込むようにしただけなので、係合具合が確実でなく、取付の際に球タンクをしゃくるようにするので、他方の係止部を差込み係止部を支点とした円弧状の動きに合致した形状にしなければならないため、成形が面倒であった。
【０００５】
そこで本発明の目的は、全くビスを使用することなく球タンクを簡単に取付けることができ、しかもその取付状態を確固と維持できるようなパチンコ機の球タンク取付構造を提供することにある。
【０００６】
【課題を解決するための手段】
そのために本発明は、パチンコ機の裏面上方に形成された球タンクの取付部の両側縁に挿入開口を有する取付固定部を設け、一方球タンクの両側には前記取付固定部に嵌合する取付片を設け、さらに前記挿入開口から挿入する係止具を別体に形成し、球タンクを取付部に臨ませて取付片を前記取付固定部に嵌め込むと共に、係止具を挿入開口から差込み係止することにより同時に取付片を押え込んで球タンクを取付けるようにした。
【０００７】
前記挿入開口は、係止具を球タンクの取付方向と直交する方向から差込むようにした。さらに取付固定部の上端に形成するのが好ましく、係止具を上方から差込むようにするとよい。
【０００８】
前記取付固定部は、係止具の係合部を設け、取付片が前方から嵌挿する挿通間隙を介して上下に分割して形成するのが好ましく、下部を取付片の受け部とするのがよい。
【０００９】
前記取付固定部に係止具の位置規制片を設けるのが好ましく、さらには該位置規制片に弾性を持たせ、係止具が係合部に係合した状態で係止具の先端が支持されるようにするとよい。
【００１０】
前記係止具に位置規制部を設けるのが好ましく、係止具が係合部に係合すると同時に取付固定部上端で支持されるようにするとよい。
【００１１】
前記係止具は、合成樹脂により形成するのが好ましく、廃棄処理の際に球タンクを外さずにすみ手間が掛からない。
【００１２】
前記係止具は、全体形状を上方が開放した略凵型に形成し、左右両側の弾性係止片は外側に段部を介して係止部を形成するとよい。
【００１３】
【発明の実施の形態】
以下に図面に従い本発明の実施の形態を説明する。図１はパチンコ機の裏面図であり、１はパチンコ機の機枠、２はその機枠１の前面一側に開閉可能に装着された前面枠である。該前面枠２の裏面には遊技盤取付枠３を介して遊技盤４が着脱自在に装着される。また、遊技盤取付枠３の裏面側には遊技盤４を覆うように合成樹脂製の機構板５が装着される。該機構板５の裏面には球タンク６，導出樋７，パチンコ球払出装置８および入賞球処理装置９等裏機構が装着されている。
【００１４】
図２は球タンク６を機構板５に取付けた状態を示す要部斜視図、図３は球タンク６を機構板５から取外した状態を示す要部斜視図である。前記機構板５の裏面上部には図３に示すように球タンク６の取付部１０が凹状に形成されている。この取付部１０は、球タンク６を機構板５に装着する際に球タンク６の後半部分を嵌合して位置決めすると共に、両側と底部を支える機能を有する。１１は、球タンク６の上縁に当接する撓み防止の突条である。
【００１５】
しかして本発明では、機構板５の裏面であって球タンク６の取付部１０の左右両側位置に、球タンク６の取付固定部１３，１３を突出形成している。該取付固定部１３は箱型に形成され、上端に後述する係止具１４を差込む挿入開口１５が形成され、該挿入開口１５の開口縁部を係合部１６としている。また取付固定部１３は中間部に形成した挿通間隙１７により上下に分割されており、下部取付固定部１３ｂ下端に弾性を有する位置規制片１８を設け、挿通溝１９を介して支持部２０を設けている。
【００１６】
一方、球タンク６の左右両側壁外面に取付片２２，２２を一体に設けている。該取付片２２は前面および上面が開放された箱状に形成され、後側の押え片部２３に前記下部取付固定部１３ｂを挿通する挿通開口２４が形成されている。２５は前記支持部２０に支持される支持片である。なお、前記取付片２２，２２は、球タンク６の後壁を取付部１０の奥壁に当接させた状態で機構板５の上面に密着するようにその位置が選ばれる。
【００１７】
また前記係止具１４は、合成樹脂により別体に形成されており、図４に示すように全体形状を上方が開放した略凵型に形成され、取付固定部１３内でがたつかない厚さが選ばれる。また左右両側の弾性係止片２６，２６は外側に段部を介して係止部２７，２７を形成しており、摘み部２８，２８の外側には摘み易いように滑り止め突起２９，２９が設けられている。なお、弾性係止片２６，２６は係止部２７，２７から先端に向うテーパー面として形成されているので、取付固定部１３の挿入開口１５にスムーズに挿入することができる。
【００１８】
本発明は上記のような構成からなり、球タンク６の取付けは、次の如くおこなわれる。図５に示すように、球タンク６を機構板５の後方から取付部１０に臨ませると共に、左右の取付片２２の挿通開口２４を下部取付固定部１３ｂに前方から臨ませて、押え片部２３と支持片２５をそれぞれ挿通間隙１７，挿通溝１９に嵌挿し、球タンク６の後側壁を取付部１０の奥壁に当接させる。これによって、支持片２５が支持部２０で支持されると同時に球タンク６が確実に取付部１０に嵌め込まれる。
【００１９】
次に係止具１４を図６鎖線に示すように、球タンク６の取付方向と直交する上方から取付固定部１３の挿入開口１５に差込む。このとき、弾性係止片２６，２６はテーパー面により内側に弾性変形する。そして係止具１４が挿通間隙１７を介して下部取付固定部１３ｂに押し込まれ、下端で位置規制片１８を押しながらテーパー面が挿入開口１５との接触から外れると同時にその復元弾性力によって図６実線に示すように係止部２７，２７が係合部１６，１６に係止され、下端を弾性復帰した位置規制片１８により位置決めされる。これにより、取付片２２の押え片部２３が図７に示すように係止具１４の後面によって確実に抜け止めされ、球タンク６ががたつきもなく確固と取付けられる。なお、取付固定部１３の位置規制片１８の代りに支持片２５によって位置規制してもよく、また係止具１４の滑り止め突起２９，２９を利用してもよい。
【００２０】
このように本発明の球タンクの取付構造は、成形が容易でビスを一本も使用することなく係止具を差込むだけで簡単かつ確実に取付けることができる。なお球タンクの構造は、単体の球タンクに限られることなく、導出樋を一体に形成した球タンクの取付にも適用可能である。また取付固定部を遊技盤取付枠に設けて、球タンクを直接遊技盤取付枠に取付けてもよく、さらに取付固定部の一方を機構板側に設け、他方を遊技盤取付枠側に設けてもよい。
【００２１】
【発明の効果】
以上に述べたように本発明のパチンコ機における球タンクの取付構造は、球タンクの両側に突設した取付片を取付固定部に嵌合し、該取付固定部に別体に形成した係止具を差込むだけで球タンクを機構板に取付け固定することができるから、ビス止めを全く不用にして、取付作業を簡略化することができる。
【００２２】
また係止具が破損しても、係止具のみを交換するだけでよく、機構板全体を交換するような経済的損失を解消することができる。
【００２３】
さらに係止具を、球タンクの取付方向と直交する方向から取付固定部の挿入開口に差込むようにしたから、球重量による撓みや外力が球タンクの外れる方向にかかったとしても係止具が外れることはなく、その取付状態を確固と維持することができる。
【図面の簡単な説明】
【図１】パチンコ機の裏面図である。
【図２】球タンクの取付状態を示す要部斜視図である。
【図３】球タンクを取外した状態を示す要部斜視図である。
【図４】係止具の斜視図である。
【図５】球タンクの取付状態を示す平面断面図である。
【図６】係止具の係止状態を示す要部断面図である。
【図７】球タンクの取付状態を示す要部断面図である。
【符号の説明】
５            機構板
６            球タンク
１０            取付部
１３，１３      取付固定部
１４            係止具
１５            挿入開口
２２，２２      取付片
【図１】
0004248047.tif 000002
【図２】
0004248047.tif 000003
【図３】
0004248047.tif 000004
【図４】
0004248047.tif 000005
【図５】
0004248047.tif 000006
【図６】
0004248047.tif 000007
【図７】
0004248047.tif 000008